【手続補正書】
【提出日】平成29年7月4日(2017.7.4)
【手続補正１】
【補正対象書類名】特許請求の範囲
【補正対象項目名】全文
【補正方法】変更
【補正の内容】
【特許請求の範囲】
【請求項１】
ローカル通話保留を実施する第1の通信デバイスによって動作可能な方法であって、
前記第1の通信デバイスによって、第2の通信デバイスとの第1の音声通話を第1の通信ネットワーク経由で確立するステップと、
前記第1の通信デバイスによって、第2の音声通話のインディケーションを第2の通信ネットワーク経由で第3の通信デバイスから受信するステップと、
前記第1の通信デバイスにおいて前記第1の音声通話を保留にし、前記第2の通信デバイスに前記第1の音声通話が保留されていることを示すために、前記第1の通信デバイスから前記第2の通信デバイスに、少なくとも挿入されたノイズに関連する定期的に送信されるフレームを有する帯域内で通話保留インジケータを送信するステップと、
前記第1の音声通話を保留にした後に、前記第3の通信デバイスとの前記第2の音声通話を確立するステップと
を備える、方法。
【請求項２】
前記第1の音声通話が前記第1の通信デバイスの第1の加入者識別子に関連付けられ、前記第2の音声通話が前記第1の通信デバイスの第2の加入者識別子に関連付けられる、請求項1に記載の方法。
【請求項３】
前記第1の通信ネットワークと第2の通信ネットワークが、別個のワイヤレス通信技術を実装している別個のネットワークである、請求項1に記載の方法。
【請求項４】
前記第1の音声通話と前記第2の音声通話が、異なるワイヤレスサービスプロバイダ、異なる加入者ネットワーク、および異なる電話番号のうちの少なくとも1つに関連付けられる、請求項1に記載の方法。
【請求項５】
前記第2の通信デバイスに前記定期的に送信されるフレームから前記通話保留インジケータを排除することによって、前記第2の通信デバイスとの前記第1の音声通話を再開するステップをさらに備える、請求項1に記載の方法。
【請求項６】
前記定期的に送信されるフレームがサイレンス・インサーション・ディスクリプタ(SID)フレームである、請求項1に記載の方法。
【請求項７】
前記定期的に送信されるフレームが、前記第1の音声通話が前記第1の通信ネットワーク経由でアクティブである間だけ送信される、請求項1に記載の方法。
【請求項８】
前記第1の音声通話が、前記第1の通信ネットワークに知らせずに保留にされる、請求項1に記載の方法。
【請求項９】
2つ以上のタイプのワイヤレス通信ネットワークを介して通信するように適合されたワイヤレス通信回路と、
前記ワイヤレス通信回路に接続された処理回路であって、
第1の通信デバイスによって、第2の通信デバイスとの第1の音声通話を第1の通信ネットワーク経由で確立して、
前記第1の通信デバイスによって、第2の音声通話のインディケーションを第2の通信ネットワーク経由で第3の通信デバイスから受信して、
前記第1の通信デバイスにおいて前記第1の音声通話を保留にし、前記第2の通信デバイスに前記第1の音声通話が保留されていることを示すために、前記第1の通信デバイスから前記第2の通信デバイスに、少なくとも挿入されたノイズに関連する定期的に送信されるフレームを有する帯域内で通話保留インジケータを送信して、
前記第1の音声通話を保留にした後に、前記第3の通信デバイスとの前記第2の音声通話を確立するように適合された処理回路と
を備える、第1の通信デバイス。
【請求項１０】
前記第1の音声通話が前記第1の通信デバイスの第1の加入者識別子に関連付けられ、前記第2の音声通話が前記第1の通信デバイスの第2の加入者識別子に関連付けられる、請求項9に記載の第1の通信デバイス。
【請求項１１】
前記第1の通信ネットワークと第2の通信ネットワークが、別個のワイヤレス通信技術を実装している別個のネットワークである、請求項9に記載の第1の通信デバイス。
【請求項１２】
前記処理回路が、
前記第2の通信デバイスに前記定期的に送信されるフレームから前記通話保留インジケータを排除することによって、前記第2の通信デバイスとの前記第1の音声通話を再開するようにさらに適合される、請求項9に記載の第1の通信デバイス。
【請求項１３】
前記定期的に送信されるフレームがサイレンス・インサーション・ディスクリプタ(SID)フレームである、請求項9に記載の第1の通信デバイス。
【請求項１４】
第1の通信デバイスであって、
前記第1の通信デバイスによって、第2の通信デバイスとの第1の音声通話を第1の通信ネットワーク経由で確立するための手段と、
前記第1の通信デバイスによって、第2の音声通話のインディケーションを第2の通信ネットワーク経由で第3の通信デバイスから受信するための手段と、
前記第1の通信デバイスにおいて前記第1の音声通話を保留にし、前記第2の通信デバイスに前記第1の音声通話が保留されていることを示すために、前記第1の通信デバイスから前記第2の通信デバイスに、少なくとも挿入されたノイズに関連する定期的に送信されるフレームを有する帯域内で通話保留インジケータを送信するための手段と、
前記第1の音声通話を保留にした後に、前記第3の通信デバイスとの前記第2の音声通話を確立するための手段と
を備える、第1の通信デバイス。
【請求項１５】
前記第1の音声通話が前記第1の通信デバイスの第1の加入者識別子に関連付けられ、前記第2の音声通話が前記第1の通信デバイスの第2の加入者識別子に関連付けられる、請求項14に記載の第1の通信デバイス。
【請求項１６】
前記第2の通信デバイスに前記定期的に送信されるフレームから前記通話保留インジケータを排除することによって、前記第2の通信デバイスとの前記第1の音声通話を再開するための手段をさらに備える、請求項14に記載の第1の通信デバイス。
【請求項１７】
前記定期的に送信されるフレームがサイレンス・インサーション・ディスクリプタ(SID)フレームである、請求項14に記載の第1の通信デバイス。
【請求項１８】
第1の通信デバイスにおいて動作可能な1つまたは複数の命令を有するプロセッサ可読記憶媒体であって、1つまたは複数のプロセッサによって実行されると、前記1つまたは複数のプロセッサに、
前記第1の通信デバイスによって、第2の通信デバイスとの第1の音声通話を第1の通信ネットワーク経由で確立させて、
前記第1の通信デバイスによって、第2の音声通話のインディケーションを第2の通信ネットワーク経由で第3の通信デバイスから受信させて、
前記第1の通信デバイスにおいて前記第1の音声通話を保留にし、前記第2の通信デバイスに前記第1の音声通話が保留されていることを示すために、前記第1の通信デバイスから前記第2の通信デバイスに、少なくとも挿入されたノイズに関連する定期的に送信されるフレームを有する帯域内で通話保留インジケータを送信させて
前記第1の音声通話を保留にした後に、前記第3の通信デバイスとの前記第2の音声通話を確立させる命令を有する、プロセッサ可読記憶媒体。
【請求項１９】
前記第1の音声通話が前記第1の通信デバイスの第1の加入者識別子に関連付けられ、前記第2の音声通話が前記第1の通信デバイスの第2の加入者識別子に関連付けられる、請求項18に記載のプロセッサ可読記憶媒体。
【請求項２０】
前記第1の通信ネットワークと第2の通信ネットワークが、別個のワイヤレス通信技術を実装している別個のネットワークである、請求項18に記載のプロセッサ可読記憶媒体。
【請求項２１】
前記1つまたは複数のプロセッサによって実行されると、前記1つまたは複数のプロセッサに、
前記第2の通信デバイスに前記定期的に送信されるフレームから前記通話保留インジケータを排除することによって、前記第2の通信デバイスとの前記第1の音声通話を再開させる1つまたは複数の命令をさらに備える、請求項18に記載のプロセッサ可読記憶媒体。
【請求項２２】
第1の通信デバイスでローカル通話保留を知るための、第2の通信デバイスで動作可能な方法であって、
前記第2の通信デバイスによって、前記第1の通信デバイスとの第1の音声通話を第1の通信ネットワーク経由で確立するステップと、
前記第2の通信デバイスによって、前記第2の通信デバイスに前記第1の音声通話が保留されていることを示すために、前記第1の通信デバイスから、少なくとも挿入されたノイズに関連する定期的に送信されるフレームを有する帯域内で通話保留インジケータを受信するステップと、
前記第2の通信デバイスによって、前記通話保留インジケータの消失を決定するために、前記定期的に送信されるフレームを監視するステップと、
前記定期的に送信されるフレームからの前記通話保留インジケータの前記消失を識別すると、前記第1の通信デバイスとの前記第1の音声通話を再開するステップと
を備える、方法。
【請求項２３】
前記通話保留インジケータが受信されている間、前記第2の通信デバイスにおいて前記通話保留インジケータを表示するステップをさらに備える、請求項22に記載の方法。
【請求項２４】
前記定期的に送信されるフレームが、前記第1の音声通話が前記第1の加入者ネットワーク経由で通じている間だけ送信される、請求項22に記載の方法。
【請求項２５】
前記定期的に送信されるフレームがサイレンス・インサーション・ディスクリプタ(SID)フレームである、請求項22に記載の方法。
【請求項２６】
前記定期的に送信されるフレームが、前記第1の音声通話が前記第1の通信ネットワーク経由でアクティブである間だけ送信される、請求項22に記載の方法。
【請求項２７】
第2の通信デバイスであって、
少なくとも1つの通信ネットワークを介して通信するように適合された通信回路と、
前記通信回路に接続された処理回路であって、
前記第2の通信デバイスによって、第1の通信デバイスとの第1の音声通話を第1の通信ネットワーク経由で確立して、
前記第2の通信デバイスによって、前記第2の通信デバイスに前記第1の音声通話が保留されていることを示すために、前記第1の通信デバイスから、少なくとも挿入されたノイズに関連する定期的に送信されるフレームを有する帯域内で通話保留インジケータを受信して、
前記第2の通信デバイスによって、前記通話保留インジケータの消失を決定するために、前記定期的に送信されるフレームを監視して、
前記定期的に送信されるフレームからの前記通話保留インジケータの前記消失を識別すると、前記第1の通信デバイスとの前記第1の音声通話を再開するように適合された処理回路と
を備える、第2の通信デバイス。
【請求項２８】
前記処理回路に接続されたディスプレイデバイスをさらに備え、前記処理回路が、前記通話保留インジケータが受信されている間、前記ディスプレイデバイスにおいて前記通話保留インジケータを表示するステップをさらに備える、請求項27に記載の第2の通信デバイス。
【請求項２９】
前記定期的に送信されるフレームが、前記第1の音声通話が前記第1の加入者ネットワーク経由で通じている間だけ送信される、請求項27に記載の第2の通信デバイス。
【請求項３０】
前記定期的に送信されるフレームがサイレンス・インサーション・ディスクリプタ(SID)フレームである、請求項27に記載の第2の通信デバイス。
【請求項３１】
前記定期的に送信されるフレームが、前記第1の音声通話が前記第1の通信ネットワーク経由でアクティブである間だけ送信される、請求項27に記載の第2の通信デバイス。
【請求項３２】
第2の通信デバイスであって、
前記第2の通信デバイスによって、第1の通信デバイスとの第1の音声通話を第1の通信ネットワーク経由で確立するための手段と、
前記第2の通信デバイスによって、前記第2の通信デバイスに前記第1の音声通話が保留されていることを示すために、前記第1の通信デバイスから、少なくとも挿入されたノイズに関連する定期的に送信されるフレームを有する帯域内で通話保留インジケータを受信するための手段と、
前記第2の通信デバイスによって、前記通話保留インジケータの消失を決定するために、前記定期的に送信されるフレームを監視するための手段と
前記定期的に送信されるフレームからの前記通話保留インジケータの前記消失を識別すると、前記第1の通信デバイスとの前記第1の音声通話を再開するための手段と
を備える、第2の通信デバイス。
【請求項３３】
前記通話保留インジケータが受信されている間、前記第2の通信デバイスにおいて前記通話保留インジケータを表示するための手段をさらに備える、請求項32に記載の第2の通信デバイス。
【請求項３４】
第2の通信デバイスにおいて動作可能な1つまたは複数の命令を有するプロセッサ可読記憶媒体であって、1つまたは複数のプロセッサによって実行されると、前記1つまたは複数のプロセッサに、
前記第2の通信デバイスによって、第1の通信デバイスとの第1の音声通話を第1の通信ネットワーク経由で確立させて、
前記第2の通信デバイスによって、前記第2の通信デバイスに前記第1の音声通話が保留されていることを示すために、前記第1の通信デバイスから、少なくとも挿入されたノイズに関連する定期的に送信されるフレームを有する帯域内で通話保留インジケータを受信させて、
前記第2の通信デバイスによって、前記通話保留インジケータの消失を決定するために、前記定期的に送信されるフレームを監視させて、
前記定期的に送信されるフレームからの前記通話保留インジケータの前記消失を識別すると、前記第1の通信デバイスとの前記第1の音声通話を再開させる命令を有する、プロセッサ可読記憶媒体。
【請求項３５】
1つまたは複数のプロセッサによって実行されると、前記1つまたは複数のプロセッサに、
前記通話保留インジケータが受信されている間、前記第2の通信デバイスにおいて前記通話保留インジケータを表示させる1つまたは複数の命令をさらに有する、請求項34に記載のプロセッサ可読記憶媒体。
【請求項３６】
前記通話保留インジケータは、前記第2の通信デバイスが、通話が保留にされたことを検出することができるようにする、請求項1に記載の方法。